(57)【要約】【課題】破損を防止しつつ防振可能な防振構造を提供する。【解決手段】内燃機関の排気管に遮熱板（１２）を支持する防振構造（１０）であって、挿通孔（２２ｂ）を形成したプレート（２２）と、プレート（２２）の挿通孔（２２ｂ）に挿通して遮熱板（１２）を遊動可能に排気管（１４）に取り付ける取付部材（１３）と、プレート（２２）の外縁を係止する第１係止部（２１ａ）と、遮熱板（１２）に設けられた開口内縁を係止する第２係止部（２１ｂ）と、を備えるグロメット（２１）と、を備え、グロメット（２１）の第２係止部（２１ｂ）に遮熱板の開口内縁と共に係止されるダンプマスを（２０）さらに備えている。【選択図】    図１
2004169733.tif 000002
【特許請求の範囲】
【請求項１】
第１の部材及び第２の部材相互間の振動の伝搬を抑制する防振構造であって、
前記第１の部材に固定される第１構造体と、
前記第１構造体の外縁と前記第２の部材とを固定する第２構造体と、を備え、
前記第２構造体は、前記第１構造体の外縁を係止する第１係止部と、前記第２の部材を係止する第２係止部と、を有し、
前記第２係止部に共に係止されるダンプマスをさらに備えることを特徴とする防振構造。
【請求項２】
第１の部材及び第２の部材相互間の振動の伝搬を抑制する防振構造であって、
前記第１の部材に固定される第１構造体と、
前記第１構造体の外縁と前記第２の部材とを固定する第２構造体と、を備え、
前記第２構造体は、前記第１構造体の外縁を係止する第１係止部と、前記第２の部材を係止する第２係止部と、を有し、
前記第１係止部に共に係止されるダンプマスをさらに備えることを特徴とする防振構造。
【請求項３】
第１の部材及び第２の部材相互間の振動の伝搬を抑制する防振構造であって、
前記第１の部材に固定される第１構造体と、
前記第１構造体の外縁と前記第２の部材とを固定する第２構造体と、を備え、
前記第２構造体は、前記第１構造体の外縁を係止する第１係止部と、前記第２の部材を係止する第２係止部と、を有し、
前記第２構造体の前記第２係止部は、前記振動の伝搬を抑制するように質量設定されていることを特徴とする防振構造。
【請求項４】
第１の部材及び第２の部材相互間の振動の伝搬を抑制する防振構造であって、
前記第１の部材に固定される第１構造体と、
前記第１構造体の外縁と前記第２の部材とを固定する第２構造体と、を備え、
前記第２構造体は、前記第１構造体の外縁を係止する第１係止部と、前記第２の部材を係止する第２係止部と、を有し、
前記第１構造体の外縁は、前記振動の伝搬を抑制するダンプマスが形成されていることを特徴とする防振構造。
【請求項５】
前記ダンプマスは、当該防振構造の固有振動数を低下させるように重量設定されている、請求項１乃至４のいずれか一項に記載の防振構造。
【請求項６】
前記ダンプマスは、前記第１構造体の弾性、前記第２の部材の弾性、及び前記第２の部材の重量に基づいて重量設定されている、請求項１乃至４のいずれか一項に記載の防振構造。
【請求項７】
前記第２構造体は、前記第１構造体の外縁を囲む閉路形状を有しているグロメット構造である、請求項１乃至６のいずれか一項に記載の防振構造。
【請求項８】
前記ダンプマスは、前記第１構造体の外縁形状に対応した閉路形状を備えている、請求項１乃至７のいずれか一項に記載の防振構造。
【請求項９】
前記第１構造体は、１以上の孔が設けられている、請求項１乃至請求項８のいずれか一項に記載の防振構造。
【請求項１０】
内燃機関の排気管に遮熱板を支持する防振構造であって、
挿通孔を形成した防振プレートと、
前記防振プレートの挿通孔に挿通して前記遮熱板を遊動可能に前記排気管に取り付ける取付部材と、
前記防振プレートの外縁を係止する第１係止部と、前記遮熱板に設けられた開口内縁を係止する第２係止部と、を備えるグロメットと、を備え、
前記グロメットの前記第２係止部に前記遮熱板の開口内縁と共に係止されるダンプマスをさらに備える防振構造。
【請求項１１】
内燃機関の排気管に遮熱板を支持する防振構造であって、
挿通孔を形成した防振プレートと、
前記防振プレートの挿通孔に挿通して前記遮熱板を遊動可能に前記排気管に取り付ける取付部材と、
前記防振プレートの外縁を係止する第１係止部と、前記遮熱板に設けられた開口内縁を係止する第２係止部と、を備えるグロメットと、を備え、
前記グロメットの前記第１係止部に前記防振プレートと共に係止されるダンプマスをさらに備える防振構造。
【請求項１２】
前記ダンプマスは、当該防振構造における固有振動数を低下させるように重量設定されている、請求項１０または１１に記載の防振構造。
【請求項１３】
前記ダンプマスは、前記プレートの弾性、前記遮熱板の弾性、及び前記遮熱板の重量に基づいて重量設定されている、請求項１０または１１に記載の防振構造。
【請求項１４】
前記防振プレートには、１以上の孔が設けられている、請求項１０乃至請求項１３のいずれか一項に記載の防振構造。
【発明の詳細な説明】
【発明の属する技術分野】
本発明は、内燃機関の振動を吸収するための防振構造に関する。
【従来の技術】
内燃機関において、燃焼ガスが排出される排気マニホルドは高温になる。この温度による周辺機器への悪影響を防止するために、通常、遮熱板（ヒートインシュレータ）を取り付けている。遮熱板は、高温への耐性や熱膨張・収縮への対応という熱に対する配慮が必要な他、内燃機関の振動が遮熱板に伝わって騒音を発生することを防止する必要もある。
例えば、実開平２―９２０２０号公報（特許文献１）には、遮熱板を積層構造とし、排気マニホルドの取付座周辺では遮熱板を一枚の薄いプレートで構成して、防振効果と防熱効果を満たす技術が開示されている。実開昭６３―６０００８号公報（特許文献２）には、内側の薄い金属板と外側の厚い金属板とを複数箇所で結合し振動を互いに抑制可能に構成した排気マニホルドの遮熱板について開示されている。
【特許文献１】
実開平２―９２０２０号公報
【特許文献２】
実開昭６３―６０００８号公報
【発明が解決しようとする課題】
しかしながら、上述した遮熱板の取付構造では、薄い金属のプレートが振動抑制のために用いられているため、内燃機関から伝達される振動によって金属疲労が生じ、プレートに亀裂が入ることが指摘されていた。
そこで、本発明は、この課題を解決するために、内燃機関の振動による異音の発生を抑制しつつ、遮熱板の破壊を防止しうる防振構造を提供することを目的とする。
【課題を解決する手段】
第１の発明は、第１の部材及び第２の部材相互間の振動の伝搬を抑制する防振構造であって、第１の部材に固定される第１構造体と、前記第１構造体の外縁と前記第２の部材とを固定する第２構造体と、を備え、第２構造体は、前記第１構造体の外縁を係止する第１係止部と、前記第２の部材を係止する第２係止部と、を有し、第２係止部に共に係止されるダンプマスをさらに備えている。
上記構成によれば、第１の部材から振動が伝わる場合に、振動は第１構造体に伝達されてから第２構造体を介して第２の部材へ伝達される。第２構造体では、第１係止部において係止する第１構造体から第２係止部まで振動が伝わるが、第２係止部にはダンプマスが第２の部材と係止されているので、このダンプマスがマスダンパとして作用して振動を抑制し、第２の部材（例えば遮熱板）へ伝達される振動を少なくするため、第２の部材による異音の発生を抑えることが可能である。従来の構造では第１構造体を薄くすることによって振動を抑制していたが、上記構成ではダンプマスによって振動を抑制するため、第１構造体自体を薄く構成する必要が無くなり、振動による第１構造体の破壊を防止することができる。
なお、「第１の部材」に限定は無いが、例えば内燃機関のように振動を発生する源となる装置の一部である。
「第１構造体」の形状に限定はないが、本発明ではダンプマスが振動抑制作用を示すので、この構造体自体を薄いプレートにする等の措置が不要である。第１構造体として例えば円板プレートが考えられる。
「第２構造体」とは、少なくとも第１係止部及び第２係止部の二つの係止部を備えることを要する。但し、係止の形態に限定はなく、例えば狭持、把持、拘持等、振動が伝達しうる構造であれば、種々の形態が考えられる。また、溶接または折り曲げ構造等によって第２構造体が第１構造体と一体化した構造体として構成されていてもよい。例えば第１構造体が円板状プレートであれば、第２構造体としてこのプレート外縁に係止可能に構成されたグロメットが考えられる。
「ダンプマス」は、振動に対して振動抑制作用が生ずるように重量調整されたおもり部材であって、その形状に限定はない。例えば、第２構造体が係止する第２の部材の部分が円状開口であれば、その開口に対応した形状に成形された環状のおもりが考えられる。
第２の発明は、第１の部材及び第２の部材相互間の振動の伝搬を抑制する防振構造であって、記第１の部材に固定される第１構造体と、第１構造体の外縁と第２の部材とを固定する第２構造体と、を備え、第２構造体は、第１構造体の外縁を係止する第１係止部と、第２の部材を係止する第２係止部と、を有し、第１係止部に共に係止されるダンプマスをさらに備えている。
上記構成によれば、振動は第１構造体に伝達されてから第２構造体を介して第２の部材へ伝達されるが、第２構造体に振動が伝達される前に、第１構造体の外縁と共にダンプマスが係止されているので、このダンプマスがマスダンパとして作用して振動を抑制し、第２構造体経由で第２の部材（例えば遮熱板）へ伝達される振動を少なくするため、第２の部材による異音の発生を抑えることが可能である。従来の構造では第１構造体を薄くすることによって振動を抑制していたが、上記構成ではダンプマスによって振動を抑制するため、第１構造体自体を薄く構成する必要が無くなり、振動による第１構造体の破壊を防止することができる。特に本発明では、第１構造体とダンプマスとの間に摩擦が生じこの摩擦によって振動が減衰されるため、ダンプマス自体の振動抑制効果に加えてさらに振動を効果的に抑制することができる。
第３の発明は、第１の部材及び第２の部材相互間の振動の伝搬を抑制する防振構造であって、第１の部材に固定される第１構造体と、第１構造体の外縁と第２の部材とを固定する第２構造体と、を備え、第２構造体は、第１構造体の外縁を係止する第１係止部と、第２の部材を係止する第２係止部と、を有し、第２構造体の第２係止部は、振動の伝搬を抑制するように質量設定されている。
上記構成によれば、振動は第１構造体に伝達されてから第２構造体を介して第２の部材へ伝達されるが、第２構構造体の第２係止部は、振動の伝搬を抑制する質量を備え、すなわち、ダンプマスとして作用するように構成されているので、第２の部材に伝達される振動を抑制し、第２の部材による異音の発生を抑えることが可能である。従来の構造では第１構造体を薄くすることによって振動を抑制していたが、上記構成では第２構造体の質量によって振動を抑制するため、第１構造体自体を薄く構成する必要が無くなり、振動による第１構造体の破壊を防止することができる。
第４の発明は、第１の部材及び第２の部材相互間の振動の伝搬を抑制する防振構造であって、第１の部材に固定される第１構造体と、第１構造体の外縁と第２の部材とを固定する第２構造体と、を備え、第２構造体は、第１構造体の外縁を係止する第１係止部と、第２の部材を係止する第２係止部と、を有し、第１構造体の外縁は、振動の伝搬を抑制するダンプマスが形成されている。
上記構成によれば、振動は第１構造体に伝達されてから第２構造体を介して第２の部材へ伝達されるが、第１構造体の外縁には、振動の伝搬を抑制するダンプマスが形成されているので、第２構造体経由で第２の部材に伝達される振動を抑制し、第２の部材による異音の発生を抑えることが可能である。従来の構造では第１構造体を薄くすることによって振動を抑制していたが、上記構成では第１構造体外縁の質量によって振動を抑制するため、第１構造体自体を薄く構成する必要が無くなり、振動による第１構造体の破壊を防止することができる。
ここで、ダンプマスは、当該防振構造における固有振動数を低下させるように重量設定されている。このような重量を有していれば、比較的高い周波数成分が伝わりにくくなるため、振動を抑制することができるからである。
また、ダンプマスは、第１構造体の弾性、第２の部材の弾性、及び第２の部材の重量に基づいて重量設定されている。なお、第１構造体、第２構造体の重量も無視できない場合には、重量設定の要素に入れることが好ましい。
例えば、第２構造体は、第１構造体の外縁を囲む閉路形状を有しているグロメット構造である。当該構成によれば、閉路形状をしているので、ダンプマスを均等に配置することによりいずれの方向に伝達される振動であっても効果的に抑制することが可能である。
また、ダンプマスは、第１構造体の外縁形状に対応した閉路形状を備えている。当該構成によれば、ダンプマスが閉路形状をしているのでいずれの方向に伝達される振動であっても効果的に抑制することが可能である。
さらに、第１構造体は、１以上の孔が設けられていることが好ましい。このような構成によれば、孔を設けることによって熱が伝導される断面積を少なくすることができ、遮熱板自体に伝達される熱を抑制することができる。
本発明は、内燃機関の排気管に遮熱板を支持する防振構造であって、挿通孔を形成したプレートと、プレートの挿通孔に挿通して遮熱板を遊動可能に排気管に取り付ける取付部材と、プレートの外縁を係止する第１係止部と、遮熱板に設けられた開口内縁を係止する第２係止部と、を備えるグロメットと、を備え、グロメットの第２係止部に遮熱板の開口内縁と共に係止されるダンプマスをさらに備えている。
上記構成によれば、挿通孔において取付部材（例えばボルト）によってプレートが排気管に取り付けられているので、内燃機関の振動がプレートに伝達される。プレートの外縁にはグロメットの第１係止部が係止されているので、振動はグロメットに伝達される。この振動はグロメットの第２係止部に伝達されるが、この第２係止部にはダンプマスが遮熱板の開口内縁と一緒に係止されているので、振動を抑制し、遮熱板による異音の発生を抑えることが可能である。従来の構造ではプレートを薄くすることによって振動を抑制していたが、上記構成では遮熱板と共に狭持されたダンプマスの質量によって振動を抑制するため、プレート自体を薄く構成する必要が無くなり、振動によるプレートの破壊を防止することができる。
また本発明は、内燃機関の排気管に遮熱板を支持する防振構造であって、挿通孔を形成したプレートと、プレートの挿通孔に挿通して遮熱板を遊動可能に排気管に取り付ける取付部材と、プレートの外縁を係止する第１係止部と、遮熱板に設けられた開口内縁を係止する第２係止部と、を備えるグロメットと、を備え、グロメットの第１係止部に防振プレートと共に係止される環状ダンプマスをさらに備えている。
上記構成によれば、挿通孔において取付部材（例えばボルト）によってプレートが排気管に取り付けられているので、内燃機関の振動がプレートに伝達される。プレートの外縁にはダンプマスがグロメットの第１係止部によりプレートと共に係止されているので、振動を抑制し、遮熱板による異音の発生を抑えることが可能である。従来の構造ではプレートを薄くすることによって振動を抑制していたが、上記構成では遮熱板と共に狭持されたダンプマスの質量によって振動を抑制するため、プレート自体を薄く構成する必要が無くなり、振動によるプレートの破壊を防止することができる。
なお、ダンプマスは、当該防振構造における固有振動数を低下させるように重量設定されている。このような重量を有していれば、比較的高い周波数成分を伝わりにくくすることができ、振動を抑制することができるからである。
また、ダンプマスは、プレートの弾性、遮熱板の弾性、及び遮熱板の重量に基づいて重量設定されている。なお、プレート、グロメットの重量も無視できない場合には、重量設定の要素に入れることが好ましい。
さらに、プレートには、１以上の孔が設けられていることは好ましい。このような構成によれば、孔を設けることによって熱が伝導される断面積を少なくすることができ、遮熱板自体に伝達される熱を抑制することができる。
【発明の実施の形態】
以下、本発明の実施の形態について図面を参照して説明する。
（第１実施形態）
本発明の第１実施形態は、第１の発明に係る防振機構を内燃機関（エンジン）の排気系の一部である排気マニホルドに設けられる遮熱板（ヒートインシュレータ）に適用したものに係り、特に、遮熱板側にダンプマスを設けた例に関する。
図７に、排気マニホルドに設けられる遮熱板を説明する斜視図を示す。
排気マニホルド１１は排気管の一種であり、図示しないエンジンのシリンダヘッドの側面に取り付けられ、各シリンダから排出される排気ガスを三元触媒マフラ、サブマフラ、メインマフラ等へと導くように構成されている。排気マニホルド１１には高温ガスが排出されるので、耐熱性、耐食性に優れた材料、例えば、ステンレスが使用される。遮熱板１２は、排気マニホルド１１からの熱輻射がこの近傍の機器に影響を与えないように、排気マニホルド１１に取り付けられている。取付けは、概略、取付部材としてのボルト（ネジ）１３を遮熱板１２に挿通し、排気マニホルド１１に設けられた取付座（ボス孔）１４に締結することによって行われる。
図１及び図２に、本第１実施形態における防振構造１０を示す。図２は、排気マニホルド１１における取付座１４を中心とした平面図であり、図１は、図２における中心断面図である。
図１及び図２に示すように、本防振構造１０は、第１の部材である排気マニホルド１１の取付座１４と、第２の部材である遮熱板１２との間の振動の伝搬を抑制する防振構造である。当該防振構造１０は、取付座１４に固定される第１構造体であるプレート２２と、プレートの外縁と遮熱板１２とを固定する第２構造体であるグロメット２１と、を備えている。グロメット２１は、プレートの外縁を係止する第１係止部２１ａと、遮熱板１２を係止する第２係止部２１ｂと、を有している。第２係止部２１ｂには遮蔽板１２と共にダンプマス２０が係止されている。
プレート２２は、中央に挿通孔２２ｂが設けられており、締結具であるボルト１３を当該挿通孔２２ｂを介して取付座１４の螺持部にねじ込むことにより、プレート２２を螺持可能に構成されている。プレート２２には、複数の孔２２ａが設けられており、当該プレート２２の断面積を減少させ、取付座１４経由で伝搬された熱が遮熱板１２へ伝達されにくく構成されている。当該実施形態におけるプレートには、任意の材料、例えば鉄やアルミ等の金属を適用することが可能である。
図２に示すように、グロメット２１は、プレート２２の外縁を囲む閉路形状を呈しており、その断面は図１に示すようなＳ字形状に形成されている。第１係止部２１ａは、このＳ字形状によって提供される第１の湾曲部に相当しており、プレート２２を狭持することが可能な幅に形成されている。第２係止部２１ｂは、Ｓ字形状によって提供される第２の湾曲部に相当しており、遮熱板１２とダンプマス２０とを狭持することが可能な幅に形成されている。当該グロメット２１は、第１係止部２１ａ及び第２係止部２１ｂの狭持力により、遮熱板１２の一部を保持することが可能な狭持力および構造となるように設定されている。グロメット２１は、適度な弾性を有し成形しやすい材料、例えばアルミ等の金属で構成することが好ましい。
ダンプマス２０は、遮熱板１２の開口内縁に対応した閉路形状を備えている。このダンプマス２０は、取付座１４から伝搬される振動に対して振動抑制作用が生ずるように重量調整されたおもり部材である。例えば、ダンプマス２０は、当該防振構造１０における固有振動数を低下させるように重量設定されている。このような重量を有していれば、比較的高い周波数成分を低下させることができ、振動を抑制することができるからである。また、例えば、ダンプマス２０は、プレート２２の弾性、遮熱板１２の弾性、及び遮熱板１２の重量に基づいて重量設定されている。なお、プレート２２、グロメット２１の重量も無視できない場合には、重量設定の要素に入れることが好ましい。このようなダンプマス２０は公知のマスダンパ技術を適用することにより、適宜重量設定することが可能である。例えば、特開昭６２−６８９７６号公報、特開昭６２−３１７３４号公報、特開昭６３−１５６１７１号公報等に開示されている技術を利用可能である。
なお、ダンプマス２０は環状である必要はなく、複数のおもり部材で構成し、これら複数のおもり部材を均等になるようにグロメット２１に狭持させてもよい。
ダンプマス２０の材料は、所望の重量を付加できるものであればよく、鉄等の比重の高い金属を利用することが好ましい。
上記構成において、エンジンが動作中にはクランク軸の回転数に対応した振動が発生して排気マニホルド１１にも伝達される。この振動は、取付座１４からプレート２２にも伝達される。この伝達された振動は、プレート２２を伝搬し、第１係止部２１ａ経由でグロメット２１の第２係止部２１ｂに達する。このとき、第２係止部２１ｂにはダンプマス２０が係止されているので、このダンプマスの重量に応じた振動抑制作用が生じ、遮熱板に伝達される振動が減衰する。特に比較的高い周波数成分が伝達しにくくなる。
上述した第１実施形態に係る防振構造によれば、取付座１４から伝達されたエンジンの振動をダンプマス２０の質量が緩和するので、遮熱板に伝達される振動を抑制し、振動板が異音を発することを防止可能である。このとき、プレート２２には振動抑制作用を持たせる必要が無いので、プレート自体を薄く構成する必要が無くなり、振動によるプレートの破壊を防止することができる。
また、第１実施形態に係るグロメット２１によれば、取付座を中心とする環状の閉路形状をしているので、取付座１４からの振動を均等に抑制することが可能である。
さらに、第１実施形態に係るダンプマス２０によれば、振動板の開口内縁に対応した環状の閉路形状を備えているので、取付座１４からいずれの方向に伝達される振動であっても効果的に抑制することが可能である。
さらにまた、第１実施形態に係るプレート２２によれば、１以上の孔２２ａが設けられているので、熱が伝導される断面積を少なくすることができ、遮熱板１２自体に伝達される熱を抑制することができる。
（第２実施形態）
本発明の第２実施形態は、第２の発明に係る防振機構をエンジンの排気系の一部である排気マニホルドに設けられる遮熱板に適用したものに係り、特に、プレート側にダンプマスを設けた例に関する。
排気マニホルドに対する遮熱板の取付については、上記第１実施形態と同様であるため説明を省略する（図７参照）。
図３及び図４に、本第２実施形態における防振構造１０ｂを示す。図４は、排気マニホルド１１における取付座１４を中心とした平面図であり、図３は、図４における中心断面図である。
図３及び図４に示すように、本防振構造１０ｂは、第１の部材である排気マニホルド１１の取付座１４と、第２の部材である遮熱板１２との間の振動の伝搬を抑制する防振構造である。当該防振構造１０ｂは、取付座１４に固定される第１構造体であるプレート２２と、プレートの外縁と遮熱板１２とを固定する第２構造体であるグロメット２４と、を備えている。グロメット２４は、プレートの外縁を係止する第１係止部２４ａと、遮熱板１２を係止する第２係止部２４ｂと、を有している。特に、ダンプマス２３が第１係止部２４ａにプレート２２と共に係止されている点で、上記第１実施形態とは異なる。
遮熱板１２、ボルト１３、取付座１４、及びプレート２２については、上記第１実施形態と同様である。
図４に示すように、グロメット２４は、上記第１実施形態におけるグロメット２１と同様に、プレート２２の外縁を囲む閉路形状を呈しており、その断面は図３に示すようなＳ字形状に形成されている。但し、第１係止部２４ａにおいて、ダンプマス２３及びプレート２２を共に狭持可能な幅に形成され、第２係止部２４ｂにおいて、遮熱板１２のみを狭持することが可能な幅に形成されている。当該グロメット２４は、第１係止部２４ａ及び第２係止部２４ｂの狭持力により、遮熱板１２の一部を保持することが可能な狭持力および構造となるように設定されている。
ダンプマス２３は、上記第１実施形態のダンプマス２０と同様に環状の閉路形状を備えているが、プレート２２の外縁に対応した大きさに成形されている点で異なる。ダンプマス２３の重量設定については、上記第１実施形態と同様に考えることができる。
上記構成において、エンジンが動作中にはクランク軸の回転数に対応した振動が発生して排気マニホルド１１にも伝達され、取付座１４からプレート２２に伝達される。この伝達された振動は、プレート２２を伝搬し、第１係止部２４ａに達するが、ここにはダンプマス２３が設けられているので、上記第１実施形態と同様のマスダンパによる振動抑制作用が生じ、遮熱板に伝達される振動が減衰する。
さらに、本第２実施形態では、取付座１４からの振動が直接伝達されるプレート２２にダンプマス２３が当接しているので、この両者間に摩擦が生じる。この摩擦は振動を減衰させるように作用する。従って、グロメット２４経由で遮熱板１２に伝達される振動がさらに減衰される。
上述した第２実施形態に係る防振構造によれば、上記第１実施形態に列記されたものと同様の効果を奏する。
特に、本第２実施形態によれば、プレート２２とダンプマス２３との間で生じる摩擦によっても振動が減衰されるので、遮熱板１２に伝搬される振動をさらに抑制することが可能である。
（第３実施形態）
本発明の第３実施形態は、第３の発明に係る防振機構をエンジンの排気系の一部である排気マニホルドに設けられる遮熱板に適用したものに係り、特に、グロメットにダンプマスを設けた例に関する。
排気マニホルドに対する遮熱板の取付については、上記第１実施形態と同様であるため説明を省略する（図７参照）。
図５に、本第３実施形態における防振構造１０ｃを説明するための中心断面図を示す。平面図については、ダンプマス２０が存在しない点を除いて上記第１実施形態と同様である（図２参照）。
図５に示すように、本防振構造１０ｃは、第１の部材である排気マニホルド１１の取付座１４と、第２の部材である遮熱板１２との間の振動の伝搬を抑制する防振構造である。当該防振構造１０ｃは、取付座１４に固定される第１構造体であるプレート２２と、プレートの外縁と遮熱板１２とを固定する第２構造体であるグロメット２５と、を備えている。グロメット２５は、プレートの外縁を係止する第１係止部２５ａと、遮熱板１２を係止する第２係止部２５ｂと、を有している。
遮熱板１２、ボルト１３、取付座１４、及びプレート２２については、上記第１実施形態と同様である。
グロメット２５は、上記第１実施形態におけるグロメット２１と同様に、プレート２２の外縁を囲む閉路形状を呈している。そして、図５の断面図に示すように、グロメット２５は、断面がＳ字形状をなし、第１係止部２５ａにおいてプレート２２を狭持可能な幅に形成され、第２係止部２５ｂにおいて、遮熱板１２のみを狭持することが可能な幅に形成されている。当該グロメット２５は、第１係止部２５ａ及び第２係止部２５ｂの狭持力により、遮熱板１２の一部を保持することが可能な狭持力および構造となるように設定されている。
特に、本第３実施形態では、グロメット２５において第２係止部２５ｂが肉厚に形成されることによりダンプマスを形成している点で、上記第１実施形態とは異なる。この肉厚に形成することによるグロメット２５の重量増加分は、上記第１実施形態におけるダンプマス２０の重量と同等である。この重量設定については、上記第１実施形態と同様に考えることができる。
上記構成において、エンジンが動作中にはクランク軸の回転数に対応した振動が発生して排気マニホルド１１にも伝達され、取付座１４からプレート２２に伝達される。この伝達された振動は、プレート２２を伝搬し、第１係止部２５ａ経由でグロメット２５の第２係止部２５ｂに達するが、ここにはダンプマスに相当するおもり部分が設けられているので、上記第１実施形態と同様のマスダンパによる振動抑制作用が生じ、遮熱板に伝達される振動が減衰する。
上述した第３実施形態に係る防振構造によれば、上記第１実施形態に列記されたものと同様の効果を奏する。
特に、本第３実施形態によれば、ダンプマスに相当するおもりをグロメット２５に一体構造として設けたので、部品点数を減らし、組み立てを容易にすることができる。
（第４実施形態）
本発明の第４実施形態は、第４の発明に係る防振機構をエンジンの排気系の一部である排気マニホルドに設けられる遮熱板に適用したものに係り、特に、プレートの外縁にダンプマスに相当するおもりを設けた例に関する。
排気マニホルドに対する遮熱板の取付については、上記第１実施形態と同様であるため説明を省略する（図７参照）。
図６に、本第４実施形態における防振構造１０ｄを説明するための中心断面図を示す。平面図については、ダンプマス２３が存在しない点を除いて上記第２実施形態と同様である（図４参照）。
図６に示すように、本防振構造１０ｄは、第１の部材である排気マニホルド１１の取付座１４と、第２の部材である遮熱板１２との間の振動の伝搬を抑制する防振構造である。当該防振構造１０ｄは、取付座１４に固定される第１構造体であるプレート２２と、プレートの外縁と遮熱板１２とを固定する第２構造体であるグロメット２４と、を備えている。グロメット２４は、プレートの外縁を係止する第１係止部２４ａと、遮熱板１２を係止する第２係止部２４ｂと、を有している。
遮熱板１２、ボルト１３、及び取付座１４については、上記第１実施形態と同様である。またグロメット２４については、上記第２実施形態と同様である。
特に、本第４実施形態では、プレート２２の外縁２２ｃが肉厚に形成されることによりダンプマスを形成している点で、上記第１及び第２実施形態とは異なる。この肉厚に形成することによるプレート２２の重量増加分は、上記第２実施形態におけるダンプマス２３の重量と同等である。この重量設定については、上記第１実施形態と同様に考えることができる。
上記構成において、エンジンが動作中にはクランク軸の回転数に対応した振動が発生して排気マニホルド１１にも伝達され、取付座１４からプレート２２に伝達される。この伝達された振動は、プレート２２を伝搬し、外縁２２ｃに達する。このとき、外縁２２ｃにはダンプマスに相当するおもり部分が設けられているので、上記第１実施形態と同様のマスダンパによる振動抑制作用が生じ、遮熱板に伝達される振動が減衰する。
上述した第４実施形態に係る防振構造によれば、上記第１実施形態に列記されたものと同様の効果を奏する。
特に、本第４実施形態によれば、ダンプマスに相当するおもりをプレート２２に一体構造として設けたので、部品点数を減らし、組み立てを容易にすることができる。
（第５実施形態）
本発明の第５実施形態は、上記第１の実施の形態に係る防振機構の変形例に係り、特に、振動減衰効果をさらに高める場合の構造例に関する。
排気マニホルドに対する遮熱板の取付については、上記第１実施形態と同様であるため説明を省略する（図７参照）。
図８及び図９に、本第５実施形態における防振構造１０ｅを示す。図８は、排気マニホルド１１における取付座１４を中心とした平面図であり、図９は、図８における中心断面図である。
図８及び図９に示すように、本防振構造１０ｅは、ダンプマス２３ｂの構造を除き、第２実施形態の構成と同じである。
ダンプマス２３ｂは、上記第２実施形態のダンプマス２３ｂに類似しており、環状の閉路形状を備え、かつ、プレート２２の外縁に対応した外径を有する点は同じである。ただし、図８及び図９から判るように、その内径が上記第２実施形態のものより小さく形成されている点において異なっている。ダンプマス２３ｂの重量設定については、上記第１実施形態と同様に考えることができる。
上記構成において、エンジンが動作中にはクランク軸の回転数に対応した振動が発生して排気マニホルド１１にも伝達され、取付座１４からプレート２２に伝達される。この伝達された振動は、プレート２２を伝搬し、第１係止部２４ａに達する。この位置にはダンプマス２３ｂが設けられているので、上記第２実施形態と同様のマスダンパによる振動抑制作用が生じ、遮熱板に伝達される振動が減衰する。
さらに、上記第５実施形態では、取付座１４からの振動が直接伝達されるプレート２２にダンプマス２３ｂが当接しているので、上記第２実施形態と同様に、この両者間に生じる摩擦による振動減衰作用が働くが、本第５実施形態では、第２実施形態に比べ大きな摩擦が生じるため振動減衰率がさらに上昇する。特に本実施形態によれば、ダンプマス２３ｂはその外径部がグロメット２４によってかしめられているが、内径部分は特に拘束されていない。このため、ダンプマス２３ｂとプレート２２との摩擦量が大きくなる。従って、グロメット２４経由で遮熱板１２に伝達される振動が摩擦によるエネルギーの吸収によってさらに減衰される。
上述した第５実施形態に係る防振構造によれば、上記第１実施形態に列記されたものと同様の効果を奏する。
特に、本第５実施形態によれば、プレート２２とダンプマス２３ｂとの接触面積が大きく、両者間で生じる摩擦によっても十分に振動が減衰されるので、遮熱板１２に伝搬される振動をさらに抑制することが可能である。
（その他の変形例）
本発明は、上記各実施形態によらず、種々に変形して適用することが可能である。例えば、上記各実施形態では、プレート、グロメット、ダンプマスを同心円状に配置したが、正円形以外の形状、例えば方形、多角形、楕円形にプレート、グロメット、ダンプマスを形成してもよい。また同心である必要はなく、振動の伝達源である第１部材と振動を抑制する対象である第２部材との間に、ダンプマスまたはダンプマスに相当する重量のおもりが設けられていれば、本発明の効果を奏する。
また、上記第１及び第２実施形態では、ダンプマスを複数の部分で構成してもよい。
さらに、上記第３実施形態において、グロメットにダンプマスに相当する重量を加える代わりに、遮熱板の開口内縁にダンプマスの重量に相当するおもりを設けてもよい。
さらにまた、上記第４実施形態において、プレート外縁にダンプマスに相当する重量を加える代わりに、グロメットの第１係止部を肉厚に形成して同等の重量を加えるように構成してもよい。
また、グロメットに相当する部材をプレートと一体構造の部品とすることでも同様の作用効果を奏する。
なお、挿通孔については、設けても設けなくてもよい。挿通孔はプレートの断面積を低減して熱を伝わりにくくする目的で設けられ、熱伝導の量に支障が無ければ設けなくてもよいからである。特に、第５実施形態によれば、ダンプマスが挿通孔の設けられている位置より小さい内径を有するので、挿通孔が設けないこととすれば、その面積増加分だけ摩擦が増加し、さらに振動減衰効果が上昇すると考えられる。
【発明の効果】
以上説明したように、本発明の防振構造造によれば、ダンプマスを第１の部材と第２の部材との間に備えているので、このダンプマスがマスダンパとして作用して振動を抑制し、第２の部材（例えば遮熱板）へ伝達される振動を少なくするため、第２の部材に振動が伝搬されることによる異音の発生を抑えることが可能である。このとき、ダンプマスが振動を抑制するため、第１構造体自体を薄く構成する必要が無くなり、振動による第１構造体の破壊を防止することができる。
【図面の簡単な説明】
【図１】図１は、本発明の第１実施形態に係る防振構造を説明する中心断面図である。
【図２】図２は、本発明の第１実施形態に係る防振構造の平面図である。
【図３】図３は、本発明の第２実施形態に係る防振構造を説明する中心断面図である。
【図４】図４は、本発明の第２実施形態に係る防振構造の平面図である。
【図５】図５は、本発明の第３実施形態に係る防振構造を説明する中心断面図である。
【図６】図６は、本発明の第４実施形態に係る防振構造を説明する中心断面図である。
【図７】図７は、排気マニホルドへの遮熱板の取付を説明する斜視図である。
【図８】図８は、本発明の第５実施形態に係る防振構造を説明する中心断面図である。
【図９】図９は、本発明の第５実施形態に係る防振構造の平面図である。
【符号の説明】
１０…防振構造、１１…排気マニホルド、１２…遮熱板、１３…ボルト（取付部材）、１４…ボス孔（取付座）、２０、２３、２３ｂ…ダンプマス、２１、２４、２５…グロメット、２２…プレート、２２ａ…孔、２２ｂ…挿通孔、２２ｃ…ダンプマス部
【図１】
2004169733.tif 000003
【図２】
2004169733.tif 000004
【図３】
2004169733.tif 000005
【図４】
2004169733.tif 000006
【図５】
2004169733.tif 000007
【図６】
2004169733.tif 000008
【図７】
2004169733.tif 000009
【図８】
2004169733.tif 000010
【図９】
2004169733.tif 000011